(57)【要約】【課題】低コストで製造することができ、取扱い時の安全性にも優れた物品収納・展示用袋を提供する。【解決手段】矩形状の袋本体１と、袋本体に取り付けられる矩形状の吊下げ用部材５からなる。袋本体の出入口２が設けられた辺縁１ａに対向する辺縁１ｃに吊下げ用部材の差込口４ａ、４ｂが設けられる。吊下げ用部材にはその一辺５ａから直角に反対側の辺５ｂに向かってのびる１本の切り込み６が設けられる。吊下げ用部材の切り込みを挟んで一方側の部分が挿入部７を形成し、残りの部分が支持部８を形成する。挿入部は、切り込みの長さ方向に切り込みの終端６ｂから始端６ａに向かってのびる。挿入部の先端が袋本体の一方の差込口から袋内に挿入された後、他方の差込口から袋外に突出せしめられることで、吊下げ用部材が袋本体に取り付けられる。支持部は、支持手段に係止するための穴９を有する。【選択図】図１
2015196542.tif 000002
【特許請求の範囲】
【請求項１】
物品を収容する袋本体と、
前記袋本体に取り付けられるとともに、所定位置に配置された支持手段に対して、前記袋本体を下にして吊下げ状態に支持される吊下げ用部材と、の組み合わせからなる物品収納・展示用袋であって、
前記袋本体の辺縁の１つの位置、または互いに間隔をあけた複数の位置のそれぞれに前記吊下げ用部材の差込口が設けられ、
前記吊下げ用部材はシート状または平板状をなし、前記吊下げ用部材には、少なくとも前記吊下げ用部材に入れられた切り込みおよび当該切り込みに対向する前記吊下げ用部材の縁部分によって縁取られた１つまたは２つの挿入部が設けられ、前記吊下げ用部材の前記挿入部を除く残りの部分は支持部を形成し、
前記吊下げ用部材の前記挿入部の先端が前記差込口から前記袋本体内に挿入されることにより、または前記挿入部の先端が１の前記差込口から前記袋本体内に挿入された後、別の前記差込口から前記袋本体外に突出せしめられることにより、または３つ以上の前記差込口に対して前記挿入部の先端の前記挿入と前記突出が順次繰り返されることにより前記吊下げ用部材が前記袋本体に取り付けられ、
前記吊下げ用部材の前記支持部は、前記支持手段に対する係止手段を有しているものであることを特徴とする物品収納・展示用袋。
【請求項２】
前記袋本体の差込口は、前記袋本体の辺縁に切欠きを形成すること、または前記袋本体の辺縁に切り込みを入れることによって設けられたものであることを特徴とする請求項１に記載の物品収納・展示用袋。
【請求項３】
前記袋本体の差込口は、前記袋本体の隣り合う２つの隅角部をそれぞれ斜めにまたはＬ字状に切り落とすことによって設けられたものであることを特徴とする請求項１に記載の物品収納・展示用袋。
【請求項４】
前記袋本体の差込口は、前記袋本体の一部を折り返すことで形成された筒状部の両端開口からなっていることを特徴とする請求項１に記載の物品収納・展示用袋。
【請求項５】
前記差込口が前記袋本体の辺縁の前記複数の位置のそれぞれに設けられ、
前記切り込みが、前記吊下げ用部材の一方の縁から他方の縁の手前までのびる１本の切り込みからなり、
前記吊下げ用部材における前記切り込みを挟んで一方側の部分が前記挿入部を形成するとともに、前記吊下げ用部材の残りの部分が前記支持部を形成し、
前記挿入部は、前記切り込みの長さ方向に前記切り込みの終端から始端に向かってのびていることを特徴とする請求項１〜請求項４のいずれかに記載の物品収納・展示用袋。
【請求項６】
前記吊下げ用部材は矩形状または正方形状をなし、前記切り込みが、前記吊下げ用部材の一対の対辺のうちの一方の辺から直角に他方の辺に向かってのびていることを特徴とする請求項５に記載の物品収納・展示用袋。
【請求項７】
前記差込口が前記袋本体の辺縁の前記複数の位置のそれぞれに設けられ、
前記切り込みが、前記吊下げ用部材の辺縁から内向きにのびる１本の第１の切り込み部分と、前記第１の切り込み部分の先端に接続し、前記第１の切り込み部分に直交してのびる１本の第２の切り込み部分とからなるＴ字状の切り込みからなり、
前記吊下げ用部材における前記第１および第２の切り込み部分と、前記第２の切り込み部分に対向する前記吊下げ用部材の縁部分とによって縁取られた部分が２つの前記挿入部を形成するとともに、前記吊下げ用部材の残りの部分が前記支持部を形成し、
前記２つの挿入部の先端がそれぞれ異なる前記差込口から前記袋本体内に挿入されることを特徴とする請求項１〜請求項４のいずれかに記載の物品収納・展示用袋。
【請求項８】
前記吊下げ用部材は矩形状または正方形状をなし、前記切り込みが、前記吊下げ用部材の１辺から直角にのびる前記第１の切り込み部分と、前記第１の切り込み部分の先端に接続し、前記１辺に平行にのびる前記第２の切り込み部分とからなっていることを特徴とする請求項７に記載の物品収納・展示用袋。
【請求項９】
前記切り込みが、前記吊下げ用部材の相対向する２つの縁のそれぞれから反対側の縁に向かってのびる２本の切り込みからなり、
前記吊下げ用部材における前記２本の切り込みをそれぞれ挟んで一方側の部分のそれぞれが２つの前記挿入部を形成するとともに、前記吊下げ用部材の残りの部分が前記支持部を形成し、
前記２つの挿入部は、それぞれ、関係する前記切り込みの長さ方向に当該切り込みの終端から始端に向かってのび、前記２つの挿入部の先端が前記袋本体の同一の前記差込口から前記袋本体内に互いに反対向きに挿入され、または、前記２つの挿入部の先端がそれぞれ異なる前記差込口から互いに反対向きに前記袋本体内に挿入されることを特徴とする請求項１または請求項２に記載の物品収納・展示用袋。
【請求項１０】
前記吊下げ用部材は矩形状または正方形状をなし、前記２つの切り込みが前記吊下げ用部材の一対の対辺のそれぞれから直角に反対側の辺に向かってのびていることを特徴とする請求項９に記載の物品収納・展示用袋。
【請求項１１】
前記吊下げ用部材の前記係止手段は、前記支持部に設けられた穴またはフックからなっていることを特徴とする請求項１〜請求項１０のいずれかに記載の物品収納・展示用袋。
【請求項１２】
前記吊下げ用部材は、紙または厚紙またはプラスチック板から形成されていることを特徴とする請求項１〜請求項１１のいずれかに記載の物品収納・展示用袋。
【請求項１３】
前記吊下げ用部材が前記袋本体に取り付けられた状態で、前記吊下げ用部材の一部が粘着テープによって前記袋本体の表面に固定されていることを特徴とする請求項１〜請求項１２のいずれかに記載の物品収納・展示用袋。
【発明の詳細な説明】
【技術分野】
【０００１】
本発明は、物品を吊下げ状態で収納または展示するのに適した物品収納・展示用袋に関するものである。
【背景技術】
【０００２】
従来、店頭で商品を展示する場合に、ヘッダー付商品展示用袋が広く使用されている。ヘッダー付商品展示用袋は、例えば、図１１に示すように、矩形状の透明プラスチックフィルム製の袋本体３１と、袋本体３１に取り付けられ、所定位置に配置された支持手段（図示はしない）に対し、袋本体３１を下にして吊下げ状態に支持される紙ヘッダー３２との組み合わせからなっている。
【０００３】
この場合、袋本体３１の一辺に、その全長にわたって、開閉可能な出入口３３が設けられ、また、紙ヘッダー３２は、矩形状の厚紙を２つ折りにしたものからなり、紙ヘッダー３２の中央の折り線３２ｃの近傍には、相対向する折片３２ａ、３２ｂを貫通する穴３４が設けられている。
【０００４】
そして、袋本体３１における出入口３３と反対側の部分が紙ヘッダー３２の２つの折片３２ａ、３２ｂ間に挿入された状態で、紙ヘッダー３２が袋本体３１に固定されることによってヘッダー付商品展示用袋が組み立てられる。
こうして、ヘッダー付商品展示用袋の袋本体３１に商品が収容され、袋本体３１の出入口３３が閉じられた後、ヘッダー付商品展示用袋が、紙ヘッダー３２の穴３４を通じて、所定位置に配置された陳列用フック等に係止され、吊り下げ状態で展示されるようになっている。
【０００５】
ところで、従来は、図１１に示すように、紙ヘッダー３２を袋本体３１に固定する手段としてステープラー３５が用いられ、複数のステープラー３５を紙ヘッダー３２の一面側から打ち込み、紙ヘッダー３２の他面から突き出したステープラー３５の先端を紙ヘッダー３２側に曲げ加工することがなされていた。
【０００６】
しかしながら、この曲げ加工の精度は十分とは言えず、消費者が中途半端に曲げられたステープラーの先端によって怪我をすることがしばしば生じていた。したがって、安全性を確保する観点から、現在、ステープラーを採用しているメーカーは殆どない。
【０００７】
そこで、より安全な紙ヘッダーの袋本体への取り付け方法として、例えば、両面粘着テープまたは接着剤を用いて紙ヘッダーを袋本体に取り付ける方法、あるいは、袋本体にヘッダー収容部と商品収容部とを設けておいて、袋本体のヘッダー収容部に紙ヘッダーを収容する方法（例えば、特許文献１参照）等が、これまでに提案されている。
【０００８】
しかしながら、これらの方法によれば、従前のステープラーを用いる方法に比べて、ヘッダー付商品展示用袋の材料費が増大し、さらには製造に手間がかかり、その結果、ヘッダー付商品展示用袋の製造コストが上昇するという問題があった。
とりわけ、この種の袋が、大抵はスパーマーケットや１００円均一ショップ等の比較的安価な商品の店頭展示に使用され、よって袋をできるだけ低コストで調達することが要求されることに鑑みれば、この製造コストの上昇は深刻な問題であった。
【先行技術文献】
【特許文献】
【０００９】
【特許文献１】特開２００２−２５５１９５号公報
【発明の概要】
【発明が解決しようとする課題】
【００１０】
したがって、本発明の課題は、低コストで製造することができ、取扱い時の安全性にも優れた物品収納・展示用袋を提供することにある。
【課題を解決するための手段】
【００１１】
上記課題を解決するため、本発明は、物品を収容する袋本体と、前記袋本体に取り付けられるとともに、所定位置に配置された支持手段に対して、前記袋本体を下にして吊下げ状態に支持される吊下げ用部材と、の組み合わせからなる物品収納・展示用袋であって、前記袋本体の辺縁の１つの位置、または互いに間隔をあけた複数の位置のそれぞれに前記吊下げ用部材の差込口が設けられ、前記吊下げ用部材はシート状または平板状をなし、前記吊下げ用部材には、少なくとも前記吊下げ用部材に入れられた切り込みおよび当該切り込みに対向する前記吊下げ用部材の縁部分によって縁取られた１つまたは２つの挿入部が設けられ、前記吊下げ用部材の前記挿入部を除く残りの部分は支持部を形成し、前記吊下げ用部材の前記挿入部の先端が前記差込口から前記袋本体内に挿入されることにより、または前記挿入部の先端が１の前記差込口から前記袋本体内に挿入された後、別の前記差込口から前記袋本体外に突出せしめられることにより、または３つ以上の前記差込口に対して前記挿入部の先端の前記挿入と前記突出が順次繰り返されることにより、前記吊下げ用部材が前記袋本体に取り付けられ、前記吊下げ用部材の前記支持部は、前記支持手段に対する係止手段を有しているものであることを特徴とする物品収納・展示用袋を構成したものである。
【００１２】
ここで、「物品を収容する袋本体」には、物品を収容する前のものだけでなく、物品を収容した状態のものも含まれる。
前記袋本体の差込口は、前記袋本体の辺縁に切欠きを形成すること、または前記袋本体の辺縁に切り込みを入れることによって設けられたものであってもよい。あるいは、前記袋本体の差込口は、前記袋本体の隣り合う２つの隅角部をそれぞれ斜めにまたはＬ字状に切り落とすことによって設けられたものであってもよい。あるいは、前記袋本体の差込口は、前記袋本体の一部を折り返すことで形成された筒状部の両端開口からなっていてもよい。
【００１３】
また、前記差込口が前記袋本体の辺縁の前記複数の位置のそれぞれに設けられ、前記切り込みが、前記吊下げ用部材の一方の縁から他方の縁の手前までのびる１本の切り込みからなり、前記吊下げ用部材における前記切り込みを挟んで一方側の部分（前記切り込みと、前記切り込みに対向する前記吊下げ用部材の縁部分と、当該縁部分および当該切り込みを接続する前記吊下げ用部材の別の縁部分とによって縁取られた部分）が前記挿入部を形成するとともに、前記吊下げ用部材の残りの部分が前記支持部を形成し、前記挿入部が、前記切り込みの長さ方向に前記切り込みの終端から始端に向かってのびているようにしてもよい。
この場合、前記吊下げ用部材は矩形状または正方形状をなし、前記切り込みが、前記吊下げ用部材の一対の対辺のうちの一方の辺から直角に他方の辺に向かってのびていてもよい。
【００１４】
上記構成において、また、前記差込口が前記袋本体の辺縁の前記複数の位置のそれぞれに設けられ、前記切り込みが、前記吊下げ用部材の辺縁から内向きにのびる１本の第１の切り込み部分と、前記第１の切り込み部分の先端に接続し、前記第１の切り込み部分に直交してのびる１本の第２の切り込み部分とからなるＴ字状の切り込みからなり、前記吊下げ用部材における前記第１および第２の切り込み部分と、前記第２の切り込み部分に対向する前記吊下げ用部材の縁部分とによって縁取られた部分が２つの前記挿入部を形成するとともに、前記吊下げ用部材の残りの部分が前記支持部を形成し、前記２つの挿入部の先端がそれぞれ異なる前記差込口から前記袋本体内に挿入されるようにしてもよい。
この場合、前記吊下げ用部材は矩形状または正方形状をなし、前記切り込みが、前記吊下げ用部材の１辺から直角にのびる前記第１の切り込み部分と、前記第１の切り込み部分の先端に接続し、前記１辺に平行にのびる前記第２の切り込み部分とからなっていてもよい。
【００１５】
また、上記構成において、前記切り込みが、前記吊下げ用部材の相対向する２つの縁のそれぞれから反対側の縁に向かってのびる２本の切り込みからなり、前記吊下げ用部材における前記２本の切り込みをそれぞれ挟んで一方側の部分（前記切り込みと、当該切り込みに対向する前記吊下げ用部材の縁部分と、当該縁部分および当該切り込みを接続する前記吊下げ用部材の別の縁部分とによって縁取られた部分）のそれぞれが２つの前記挿入部を形成するとともに、前記吊下げ用部材の残りの部分が前記支持部を形成し、前記２つの挿入部は、それぞれ、関係する前記切り込みの長さ方向に当該切り込みの終端から始端に向かってのび、前記２つの挿入部の先端が前記袋本体の同一の前記差込口から前記袋本体内に互いに反対向きに挿入され、または、前記２つの挿入部の先端がそれぞれ異なる前記差込口から互いに反対向きに前記袋本体内に挿入されるようにしてもよい。
この場合、前記吊下げ用部材は矩形状または正方形状をなし、前記２つの切り込みが前記吊下げ用部材の一対の対辺のそれぞれから直角に反対側の辺に向かってのびていてもよい。
【００１６】
上記構成において、前記吊下げ用部材の前記係止手段は、前記支持部に設けられた穴またはフックからなっていることが好ましく、前記吊下げ用部材は、紙または厚紙またはプラスチック板から形成されていることが好ましい。
また、前記吊下げ用部材が前記袋本体に取り付けられた状態で、前記吊下げ用部材の一部が粘着テープによって前記袋本体の表面に固定されていてもよい。
【発明の効果】
【００１７】
本発明によれば、シート状または平板状の吊下げ用部材に切り込みを入れて吊下げ用部材に挿入部を設けるとともに、吊下げ用部材に係止手段を設ける一方、袋本体に吊下げ用部材の差込口を設け、吊下げ用部材の挿入部を袋本体の差込口に挿入して吊下げ用部材を袋本体に取り付けるだけで、物品収納・展示用袋を形成することができる。
【００１８】
こうして、本発明によれば、物品収納・展示用袋の材料費を低く抑えることができ、特に、吊下げ用部材を紙または厚紙から形成すれば、材料費は著しく低減され、さらには、物品収納・展示用袋の製造も簡単であって、あまり手間がかからず、よって、非常に低コストで物品収納・展示用袋を製造することができる。
加えて、物品収納・展示用袋に、ステープラーのような人を傷つけるおそれのある部材を一切使用しないので、物品収納・展示用袋の取扱い時の安全性を確保することができる。
また、本発明の物品収納・展示用袋の吊下げ用部材をヘッダーとして機能させることができ、それによって、本発明の物品収納・展示用袋を従来のヘッダー付商品展示用袋の代わりに使用することができる。
【図面の簡単な説明】
【００１９】
【図１】本発明の第１の実施例による物品収納・展示用袋の分解斜視図である。
【図２】図１に示した物品収納・展示用袋の完成した状態の斜視図である。
【図３】（Ａ）、（Ｂ）は、第１の実施例の袋本体の変形例の斜視図であり、（Ｃ）は、第１の実施例の吊下げ用部材の変形例の斜視図である。
【図４】第１の実施例の袋本体の変形例の斜視図である。
【図５】第１の実施例の袋本体の変形例の斜視図である。
【図６】本発明の第２の実施例による物品収納・展示用袋の分解斜視図である。
【図７】図６に示した物品収納・展示用袋の完成した状態の斜視図である。
【図８】本発明の第３の実施例による物品収納・展示用袋の分解斜視図である。
【図９】図８に示した物品収納・展示用袋の完成した状態の斜視図である。
【図１０】第３の実施例の吊下げ用部材の変形例を示す図であり、（Ａ）は平面図であり、（Ｂ）は袋本体に取り付けた状態の斜視図である。
【図１１】従来のヘッダー付商品展示用袋の斜視図である。
【発明を実施するための形態】
【００２０】
以下、添付図面を参照して本発明の好ましい実施例を説明する。図１は、本発明の第１の実施例による物品収納・展示用袋の分解斜視図であり、図２は、図１に示した物品収納・展示用袋の完成した状態の斜視図である。
図１を参照して、本発明の物品収納・展示用袋は、物品を収容する袋本体１と、袋本体１に取り付けられるとともに、所定位置に配置された、例えばフック等の支持手段（図示はしない）に対して、袋本体１を下にして吊下げ状態に支持される吊下げ用部材５とから構成されている。
【００２１】
袋本体１は、この実施例では、上下に重ね合せた透明プラスチックフィルムの辺縁をシール加工することによって形成されたものであり、矩形または正方形の外形を有している。
そして、袋本体１の４つの辺縁１ａ〜１ｄのうちの１の辺縁１ａにその全長にわたって出入口２が設けられ、出入口２にはフラップ３が設けられている。フラップ３の内側面には感圧接着剤が塗布され、フラップ３を閉じることで出入口２が閉鎖されるようになっている。
【００２２】
また、袋本体１の辺縁１ａ（出入口２が形成された辺縁）に対向する辺縁１ｃの互いに間隔をあけた２つの位置に、それぞれ、吊下げ用部材５の差込口４ａ、４ｂが設けられている。この実施例では、差込口４ａ、４ｂは、袋本体１の辺縁１ｃに切り込みを入れることによって設けられる。
【００２３】
なお、袋本体１の構成（例えば、形状、材質および出入口を設ける位置等）はこの実施例に限定されず、袋本体１として、公知の任意の構成を有する袋を用いることができる。この場合、袋本体１がマチを有していてもよい。
差込口４ａ、４ｂの個数および位置もこの実施例に限定されず、袋本体の辺縁の互いに間隔をあけた複数の位置にそれぞれ差込口が設けられておればよい。さらには、差込口４ａ、４ｂが、袋本体１の辺縁に切り込みを入れる代わりに、袋本体の辺縁に切欠きを形成することによって設けられてもよいし、あるいは、袋本体の製造段階で、袋本体に予め設けられてもよい。
【００２４】
例えば、図１に示した袋本体１の差込口４ａ、４ｂに代えて、図３（Ａ）、（Ｂ）に示すように、袋本体１の辺縁１ａ（出入口２が形成された辺縁）に対向する辺縁１ｃ側に位置する２つの隅角部をそれぞれ斜めにまたはＬ字状に切り落とすことによって、袋本体１の差込口４ａ’、４ｂ’を設けてもよい。
【００２５】
再び図１を参照して、吊下げ用部材５は、この実施例では、矩形状または正方形状の紙または厚紙から形成されている。この場合、紙または厚紙を２つ折りにしたものを吊下げ用部材５として用いることもできる。
吊下げ用部材５には、その一対の対辺５ａ、５ｂのうちの一方の辺５ａから直角に他方の辺５ｂに向かってのびる１筋の切り込み６が入れられている。
【００２６】
そして、吊下げ用部材５における切り込み６を挟んで一方側の部分（切り込み６と、切り込み６に対向する吊下げ用部材５の縁部分と、当該縁部分および切り込み６を接続する吊下げ用部材５の別の縁部分とによって縁取られた部分）が挿入部７を形成するとともに、吊下げ用部材５の残りの部分は支持部８を形成している。
吊下げ用部材５の挿入部７は、切り込み６の長さ方向に切り込み６の終端６ｂから始端６ａに向かってのびている。
また、吊下げ用部材５の支持部８には、フック等の支持手段（図示はしない）に対する係止手段として、穴９が設けられている。係止手段は、穴９に限定されず、吊下げ用部材を支持手段に係止するのに適した任意の構成を有し得る。例えば、支持部８に、穴の代わりにフックが設けられていてもよい。
【００２７】
この実施例では、吊下げ用部材５が、矩形状または正方形状の紙または厚紙から形成されるが、吊下げ用部材５の外形および材質はこの実施例に限定されず、吊下げ用部材５は、シート状または平板状をなしておればよく、任意の材料から製造されて任意の外形を有する。
また、吊下げ用部材５に挿入部７を設けるための切り込みの入れ方も、この実施例に限定されるものではなく、少なくとも吊下げ用部材に入れられた切り込みおよびこの切り込みに対向する吊下げ用部材の縁部分によって縁取られた部分が１つの挿入部をなしておればよく、この場合、切り込みには、筋状のものだけでなく、一定幅を有するスリット状のものも含まれる。
【００２８】
例えば、図３（Ｃ）（図中、図１に示した構成要素に対応する構成要素には、同一番号にダッシュ記号を付した。）に示すように、吊下げ用部材５を、一定の厚みを有するプラスチック板から形成し、吊下げ用部材５の外形を全体に丸みを帯びたものにすることもできる。
【００２９】
次に、図２に示すように、吊下げ用部材５の挿入部７の先端が、袋本体５の一方の差込口４ａから袋本体内に挿入された後、他方の差込口４ｂから袋本体外に突出せしめられることによって、吊下げ用部材５が袋本体１に取り付けられ、本発明の物品収納・展示用袋が完成する。
【００３０】
物品収納・展示用袋が完成した状態で、吊下げ用部材５の挿入部７が、袋本体１の２つの差込口４ａ、４ｂ間に形成された筒状部分に差し込まれると同時に、袋本体１の２つの差込口４ａ、４ｂ間の辺縁領域が、吊下げ用部材５の切り込み６に挟まれているので、吊下げ用部材５が袋本体１から容易に外れてしまうことがない。
【００３１】
この場合、吊下げ用部材５の袋本体１への取り付けをより強固にするには、吊下げ用部材５を袋本体１に取り付けた状態で、吊下げ用部材５の一部を粘着テープによって袋本体１の表面に固定すればよい。
【００３２】
上述の実施例では、吊下げ用部材５の挿入部７の先端を、袋本体１に設けた２つの差込口４ａ、４ｂのうちの一方の差込口４ａから袋本体内に挿入した後、他方の差込口４ｂから袋本体外に突出させることで、吊下げ用部材５を袋本体１に取り付ける構成としたが、袋本体１に３つ以上の差込口を設けた場合には、それら３つ以上の差込口に対し、吊下げ用部材５の挿入部７の先端が前記の挿入と突出を順次繰り返すようにすることで、吊下げ用部材を袋本体に取り付けることもできる。
【００３３】
例えば、図５（Ａ）に示すように、吊下げ用部材５に３つの差込口を設け、吊下げ用部材５の先端を、第１の差込口４ａ’から袋本体内に挿入した後、第２の差込口４ｂ’から袋本体外に突出させ、さらに、第３の差込口４ｃ’から袋本体内に挿入することによって、吊下げ用部材を袋本体に取り付けることもできる。
【００３４】
こうして、物品収納・展示用袋の袋本体１の出入口２から物品が入れられた後、フラップ３によって出入口２が閉じられ、物品が袋本体１に収容される。その後、物品収納・展示用袋が、その吊下げ用部材５の穴９を通じてフック等の適当な係止手段に吊下げ状態に支持され、それによって物品が収納され、または展示される。
この場合、吊下げ用部材５をヘッダーとして機能させることによって、本発明の物品収納・展示用袋を、従来のヘッダー付商品展示用袋の代わりに使用することができる。
【００３５】
本発明による物品収納・展示用袋は、吊下げ用部材５に切り込み６を入れて、吊下げ用部材５に挿入部７を設けるとともに、吊下げ用部材５に穴９（またはフック）を設け、また、袋本体１に吊下げ用部材の差込口４ａ、４ｂを設け、吊下げ用部材５の挿入部７を袋本体１の差込口４ａ、４ｂに挿入することによって吊下げ用部材５を袋本体１に取り付けるだけで形成され得るので、材料費があまりかからず、特に、吊下げ用部材を紙または厚紙から形成すれば、材料費はかなり安価になり、しかも製造に手間がかからない。よって、本発明による物品収納・展示用袋は、極めて低コストで製造され得る。
さらに、物品収納・展示用袋には、人を傷つけるおそれがある部材は一切使用されないので、物品収納・展示用袋の取り扱い時の安全性が確保される。
【００３６】
図４は、上述した第１の実施例の袋本体の別の変形例の斜視図である。図４を参照して、この例では、袋本体１に物品Ｍが収容された状態で、袋本体１の出入口２が本体側に折り返された後、この折り返し部が粘着テープＱ等によって本体に固定されることによって、袋本体１の出入口２が閉じられるとともに、袋本体１に筒状部１ｅが形成されている。そして、この筒状部１ｅの両端開口がそれぞれ差込口４ａ’、４ｂ’をなしている。
この例からもわかるように、本発明の「袋本体」には、物品を収容する前のものだけでなく、物品を収容した状態のものも含まれる。
【００３７】
図５（Ｂ）は、第１の実施例の袋本体の別の変形例の斜視図である。なお、図５（Ｂ）中、図１および図２と同じ構成要素には同一番号を付し、以下、それらの詳細な説明を省略する。
【００３８】
図５（Ｂ）を参照して、この変形例では、図１および図２に示した袋本体１の出入口３が形成された辺縁１ａに、さらに、拡張部１０が設けられている。拡張部１０は袋本体１の辺縁１ａに沿って筒状にのび、その両端開口がそれぞれ差込口４ａ”、４ｂ”を形成している。この種の袋は、従来技術において、袋本体１が商品収容部として形成され、拡張部１０がヘッダー収容部として形成されたヘッダー付商品展示用袋として使用されている。
【００３９】
そして、吊下げ用部材５の挿入部７の先端が、拡張部１０の一方の差込口４ａ”から挿入された後、他方の差込口４ｂ”から突出せしめられることによって、吊下げ用部材５が袋本体１に取り付けられる。
【００４０】
図６は、本発明の第２の実施例による物品収納・展示用袋の分解斜視図であり、図７は、図６に示した物品収納・展示用袋の完成した状態の斜視図である。
図６を参照して、本発明による物品収納・展示用袋は、物品を収容する袋本体１１と、袋本体１１に取り付けられるとともに、所定位置に配置された支持手段（図示はしない）に対して、袋本体１１を下にして吊下げ状態に支持される吊下げ用部材１５とから構成されている。
【００４１】
袋本体１１は、この実施例では、上下に重ね合せた透明プラスチックフィルムの辺縁をシール加工することによって形成されたものであり、矩形または正方形の外形を有している。
そして、袋本体１１の４つの辺縁１１ａ〜１１ｄのうちの１の辺縁１１ａにその全長にわたって出入口１２が設けられ、出入口１２には、フラップ１３が設けられている。フラップ３の内側面には感圧接着剤が塗布され、フラップ１３を閉じることで出入口１２が閉鎖されるようになっている。
【００４２】
また、袋本体１１の辺縁１１ａ（出入口１２が形成された辺縁）に対向する辺縁１１ｃの中央部には、吊下げ用部材１５の差込口１４が１つ設けられている。この場合、差込口１４は、袋本体１の辺縁１１ｃに切欠きを形成することで設けられることが好ましいが、袋本体の製造段階で、袋本体に予め設けられてもよい。
【００４３】
なお、袋本体１１の構成（例えば、形状、材質および出入口を設ける位置等）はこの実施例に限定されず、袋本体１１として、公知の任意の構成を有する袋を用いることができる。この場合、袋本体１１がマチを有していてもよい。
差込口１４を設ける位置もこの実施例に限定されず、袋本体１１の辺縁の１つの位置に差込口１４が設けられておればよい。
【００４４】
吊下げ用部材１５は、この実施例では、矩形状または正方形状の紙または厚紙から形成されている。この場合、必要に応じて、紙または厚紙を２つ折りにしたものを吊下げ用部材として用いることもできる。
吊下げ用部材１５には、一対の対辺１５ａ、１５ｂのそれぞれから直角に反対側の辺１５ｂ、１５ａに向かってのびる２本の切り込み１６、１７が設けられている。
【００４５】
そして、吊下げ用部材１５における２本の切り込み１６、１７をそれぞれ挟んで一方側のそれぞれの部分（切り込み１６、１７と、切り込み１６、１７に対向する吊下げ用部材１５の縁部分と、当該縁部分および切り込み１６、１７を接続する吊下げ用部材１５の別の縁部分とによって縁取られた部分）が２つの挿入部１８、１９を形成し、吊下げ用部材１５の残りの部分が支持部２０を形成している。
吊下げ用部材１５の２つの挿入部１８、１９は、それぞれ、関係する切り込み１６、１７の長さ方向に当該切り込み１６、１７の終端１６ｂ、１７ｂから始端１６ａ、１７ａに向かってのびている。
また、吊下げ用部材１５の支持部２０は、適当な支持手段（図示はしない）に係止するためのフック２１を有している。
【００４６】
この実施例では、吊下げ用部材１５が、矩形状または正方形状の紙または厚紙から形成されるが、吊下げ用部材５の外形および材質はこの実施例に限定されず、吊下げ用部材１５は、シート状または平板状をなしておればよく、任意の材料から製造されて任意の外形を有する。
また、吊下げ用部材１５に挿入部１８、１９を設けるための切り込みの入れ方も、この実施例に限定されるものではなく、少なくとも吊下げ用部材に入れられた切り込みおよびこの切り込みに対向する吊下げ用部材の縁部分によって縁取られた部分が、互いに反対向きにのびる２つの挿入部を形成するようにすればよく、この場合、切り込みには、筋状のものだけでなく、一定幅を有するスリット状のものも含まれる。
【００４７】
こうして、図７に示すように、吊下げ用部材１５の一対の挿入部１８、１９の先端が袋本体１１の差込口１４から袋本体内に互いに反対向きに挿入されることによって、吊下げ用部材１５が袋本体１１に取り付けられ、物品収納・展示用袋が完成する。
【００４８】
この物品収納・展示用袋が完成した状態で、吊下げ用部材１５の２つの挿入部１８、１９が、袋本体１１の差込口１４から互いに反対向きに袋本体内に差し込まれると同時に、袋本体１１の差込口１４を挟んで両側の辺縁領域が、吊下げ用部材１５の切り込み１６、１７に挟まれているので、吊下げ用部材１５が袋本体１１から容易に外れてしまうことがない。
【００４９】
この場合、吊下げ用部材１５が袋本体１１に取り付けられた状態で、必要に応じて、吊下げ用部材１５の一部が粘着テープによって袋本体１１の表面に固定される。
【００５０】
そして、物品収納・展示用袋の袋本体１１の出入口１２から物品が入れられた後、フラップ１３によって出入口１２が閉じられ、物品が袋本体１１に収容される。その後、物品収納・展示用袋が、その吊下げ用部材１５のフック２１を通じて適当な支持手段に吊下げ状態に支持されることにより、物品が収納、または展示される。
この実施例においても、第１の実施例と同様の効果が得られることは言うまでもない。
【００５１】
図８は、本発明の第３の実施例による物品収納・展示用袋の分解斜視図であり、図９は、図８に示した物品収納・展示用袋の完成した状態の斜視図である。
図８を参照して、本発明による物品収納・展示用袋は、物品を収容する袋本体２２と、袋本体２２に取り付けられるとともに、所定位置に配置された支持手段（図示はしない）に対して、袋本体２２を下にして吊下げ状態に支持される吊下げ用部材２６とから構成されている。
【００５２】
袋本体２２は、この実施例では、上下に重ね合せた透明プラスチックフィルムの辺縁をシール加工することによって形成されたものであり、矩形または正方形の外形を有している。
そして、袋本体２２の４つの辺縁２２ａ〜２２ｄのうちの１の辺縁２２ａにその全長にわたって出入口２３が設けられ、出入口２３には、フラップ２４が設けられている。フラップ２４の内側面には感圧接着剤が塗布され、フラップ２４を閉じることで出入口２３が閉鎖されるようになっている。
【００５３】
また、袋本体２２の辺縁２２ａ（出入口２３が形成された辺縁）に対向する辺縁２２ｃの互いに間隔をあけた４つの位置に、それぞれ、吊下げ用部材５の第１〜第４の差込口２５ａ〜２５ｄが設けられている。この実施例では、第１〜第４の差込口２５ａ〜２５ｄは、袋本体２２の辺縁２２ｃに切り込みを入れることによって設けられる。
【００５４】
なお、袋本体２２の構成（例えば、形状、材質および出入口を設ける位置等）はこの実施例に限定されず、袋本体２２として、公知の任意の構成を有する袋を用いることができる。
差込口２５ａ〜２５ｄの個数および位置もこの実施例に限定されず、袋本体の辺縁の互いに間隔をあけた複数の位置にそれぞれ差込口が設けられておればよい。さらには、差込口２５ａ〜２５ｂが、袋本体２２の辺縁に切り込みを入れる代わりに、袋本体の辺縁に切欠きを形成することによって設けられてもよいし、あるいは、袋本体の製造段階で、袋本体に予め設けられてもよい。
【００５５】
吊下げ用部材２６は、この実施例では、矩形状または正方形状の紙または厚紙から形成されている。この場合、必要に応じて、紙または厚紙を２つ折りにしたものを吊下げ用部材として用いることもできる。
吊下げ用部材２６には、吊下げ用部材２６の１辺２６ａから直角にのびる第１の切り込み部分２７ａと、第１の切り込み部分２７ａの先端に接続し、辺２６ａに平行にのびる第２の切り込み部分２７ｂとからなるＴ字状の切り込みが入れられている。
【００５６】
そして、吊下げ用部材２６には、第１および第２の切り込み部分２７ａ、２７ｂと、第２の切り込み部分２７に対向する吊下げ用部材２６の縁部分とによって縁取られた２つの挿入部２８ａ、２８ｂが設けられている。吊下げ用部材２６の残りの部分は、支持部２９を形成する。
吊下げ用部材２６の支持部２９は、所定位置に配置された支持手段（図示はしない）に係止するための穴３０を有している。
【００５７】
この実施例では、吊下げ用部材２６が、矩形状または正方形状の紙または厚紙から形成されるが、吊下げ用部材２６の外形および材質はこの実施例に限定されず、吊下げ用部材２６は、シート状または平板状をなしておればよく、任意の材料から製造されて任意の外形を有する。
また、吊下げ用部材２６に挿入部２８ａ、２８ｂを設けるための切り込みの入れ方も、この実施例に限定されるものではなく、少なくとも吊下げ用部材に入れられた切り込みおよびこの切り込みに対向する吊下げ用部材の縁部分によって縁取られた部分が、互いに向かってのびる２つの挿入部を形成するようにすればよく、この場合、切り込みには、筋状のものだけでなく、一定幅を有するスリット状のものも含まれる。
【００５８】
こうして、図９に示すように、吊下げ用部材２６の一方の挿入部２８ａの先端が、第１の差込口２５ａから袋本体内に差し込まれた後、第２の差込口２５ｂから袋本体外に突出せしめられるとともに、他方の挿入部２８ｂの先端が、第４の差込口２５ｄから封路本体内に挿入された後、第３の差込口２５ｃから袋本体外に突出せしめられることによって、吊下げ用部材２６が袋本体２２に取り付けられ、物品収納・展示用袋が完成する。
【００５９】
物品収納・展示用袋が完成した状態で、吊下げ用部材２６の一方の挿入部２８ａが、袋本体２２の第１および第２の差込口２５ａ、２５ｂ間に形成された筒状部分に差し込まれる一方、他方の挿入部２８ｂが、袋本体２２の第３および第４の差込口２５ｃ、２５ｄ間に形成された筒状部分に差し込まれ、それと同時に、袋本体２２の第１および第２の差込口２５ａ、２５ｂ間の辺縁部分と、第３および第４の差込口２５ｃ、２５ｄ間の辺縁部分が、第２の切り込み部分２７ｂに挟まれているので、吊下げ用部材２６が袋本体２２から容易に外れてしまうことがない。
【００６０】
この場合、吊下げ用部材２６の一方の挿入部２８ａの先端を第１の差込口２５ａから袋本体内に挿入し、かつ、他方の挿入部２８ｂの先端を第４の差込口２５ｄから袋本体内に挿入するだけでも、吊下げ用部材２６を袋本体２２に取り付けることができる。
【００６１】
そして、物品収納・展示用袋の袋本体２２の出入口２３から物品が入れられた後、フラップ２４によって出入口２３が閉じられ、物品が袋本体２２に収容される。その後、物品収納・展示用袋が、その吊下げ用部材２６の穴３０を通じて適当な支持手段に吊下げ状態に支持されることにより、物品が収納または展示される。
この実施例においても、第１の実施例と同様の効果が得られることは言うまでもない。
【００６２】
図１０は、上述の第３の実施例の吊下げ用部材の変形例を示した図である。図１０（Ａ）を参照して、この変形例では、吊下げ用部材２６’に入れられる切り込みが、吊下げ用部材２６’の１辺２６ａ’から直角にのびる平行な２本の第１の切り込み部分２７ａ’と、２本の第１の切り込み部分２７ａ’の先端に接続し、辺２６ａ’に平行にのびる１本の第２の切り込み部分２７ｂ’とからなっている。
【００６３】
そして、吊下げ用部材２６’における第１および第２の切り込み部分２７ａ’、２７ｂ’によって囲まれた部分Ｘは、吊下げ用部材２６’の本体から切り落とされ、吊下げ用部材２６’には部分Ｘに対応する切欠きが形成されている。
【００６４】
こうして、吊下げ用部材２６’における、第１および第２の切り込み部分２７ａ’、２７ｂ’と、第２の切り込み部分２７ｂ’に対向する吊下げ用部材２６’の縁部分とによって縁取られた部分が、第１および第２の挿入部２８ａ’、２８ｂ’を形成し、残りの部分が支持部２９’を形成している。
支持部２９’には、穴３０’が設けられている。
【００６５】
図１０（Ｂ）からわかるように、吊下げ用部材２６’は、図３および図４にに示したような構成の袋本体１と組み合わせて使用するのに適している。
【符号の説明】
【００６６】
１、１’  袋本体
１ａ〜１ｄ  辺縁
１ａ’  辺縁
２、２’  出入口
３、３’  フラップ
４a、４ｂ  差込口
４ａ’、４ｂ’、４ｃ’  差込口
４ａ”、４ｂ”  差込口
５、５’  吊下げ用部材
５ａ、５ｂ  一対の対辺
６、６’  スリット
６ａ、６ａ’  スリットの始端
６ｂ、６ｂ’  スリットの終端
７、７’  挿入部
８、８’  支持部
９、９’  穴
１０  ヘッダー収容部
１１  袋本体
１１ａ〜１１ｄ  辺縁
１２  出入口
１３  フラップ
１４  差込口
１５  吊下げ用部材
１５ａ、１５ｂ  一対の対辺
１６  スリット
１６ａ  スリットの始端
１６ｂ  スリットの終端
１７  スリット
１７ａ  スリットの始端
１７ｂ  スリットの終端
１８、１９  挿入部
２０  支持部
２１  フック
２２、２２’  袋本体
２２ａ〜２２ｄ  辺縁
２３  出入口
２４  フラップ
２６、２６’  吊下げ用部材
２６ａ、２６ａ’  辺
２７ａ、２７ａ’  第１の切り込み部分
２７ｂ、２７ｂ’  第２の切り込み部分
２８ａ、２８ｂ  挿入部
２８ａ’、２８ｂ’  挿入部
２９、２９’  支持部
３０、３０’  穴
３１  袋本体
３２  紙ヘッダー
３２ａ、３２ｂ  折片
３２ｃ  折り線
３３  出入口
３４  穴
３５  ステープラー
Ｍ  物品
Ｑ  粘着テープ
【図１】
2015196542.tif 000003
【図２】
2015196542.tif 000004
【図３】
2015196542.tif 000005
【図４】
2015196542.tif 000006
【図５】
2015196542.tif 000007
【図６】
2015196542.tif 000008
【図７】
2015196542.tif 000009
【図８】
2015196542.tif 000010
【図９】
2015196542.tif 000011
【図１０】
2015196542.tif 000012
【図１１】
2015196542.tif 000013